【事件の表示】
　特許第３００１６８７号「パチンコ球の循環制御装置」の請求項１に係る特許に対する特許異議の申立てについて、次のとおり決定する。
【結　論】
　訂正を認める。
　特許第３００１６８７号の請求項１に係る特許を取り消す。
【理　由】
１．手続の経緯
　特許第３００１６８７号の請求項１に係る発明についての出願は、平成３年８月２日に特許出願され、平成１１年１１月１２日にその発明について特許の設定登録がなされ、その後、その特許について、異議申立人上田実により特許異議の申立てがなされ、取消しの理由が通知され、その指定期間内である平成１３年１月１８日に訂正請求（後日取下げ）がなされた後、再度の取消しの理由が通知され、その指定期間内である平成１３年１０月２５日に訂正請求がなされたものである。
２．訂正の適否についての判断
ア．訂正の内容
（ａ）特許請求の範囲の請求項１の「発射レール上の打球位置から発射されて再び前記打球位置へ還元される１群のパチンコ球の循環経路の途中には前記打球位置へ送り込まれるパチンコ球を待機させる待機誘導部と、この待機誘導部で待機するパチンコ球数の不足を検出する待機球検出手段と、この待機球検出手段の検出信号によって作動してパチンコ球を前記待機誘導部へ補給する球送り出し機構とを設けたことを特徴とするパチンコ機の循環制御装置。」を、
「発射レール上の打球位置から発射されて再び前記打球位置へ還元される１群のパチンコ球の循環経路の途中には前記打球位置へ送り込まれるパチンコ球を待機させる待機誘導部と、この待機誘導部で待機するパチンコ球数の不足を検出する待機球検出手段と、この待機球検出手段の検出信号によって作動してパチンコ球を前記待機誘導部へ補給する球送り出し機構とを設け、前記循環経路は、前記待機誘導部の上流側に位置してパチンコ球を貯留する貯留誘導部を有し、前記貯留誘導部には、前記球送り出し機構が設けられるとともに、前記貯留誘導部のパチンコ球の不足を検出してその検出信号に基づいて前記貯留誘導部のパチンコ球の不足を報知する貯留球検出スイッチが配置されていることを特徴とするパチンコ球の循環制御装置。」と訂正する。
（ｂ）発明の詳細な説明中段落【０００４】の「［課題を解決するための手段］本発明のパチンコ球の循環制御装置は発射レール上の打球位置から発射されて再び前記打球位置へ還元される１群のパチンコ球の循環経路の途中には前記打球位置へ送り込まれるパチンコ球を待機させる待機誘導部と、この待機誘導部で待機するパチンコ球数の不足を検出する待機球検出手段と、この待機球検出手段の検出信号によって作動してパチンコ球を前記待機誘導部へ補給する球送り出し機構とを設けた構成を有する。」を、
「［課題を解決するための手段］本発明のパチンコ球の循環制御装置は、発射レール上の打球位置から発射されて再び前記打球位置へ還元される１群のパチンコ球の循環経路の途中には前記打球位置へ送り込まれるパチンコ球を待機させる待機誘導部と、この待機誘導部で待機するパチンコ球数の不足を検出する待機球検出手段と、この待機球検出手段の検出信号によって作動してパチンコ球を前記待機誘導部へ補給する球送り出し機構とを設け、前記循環経路は、前記待機誘導部の上流側に位置してパチンコ球を貯留する貯留誘導部を有し、前記貯留誘導部には、前記球送り出し機構が設けられるとともに、前記貯留誘導部のパチンコ球の不足を検出してその検出信号に基づいて前記貯留誘導部のパチンコ球の不足を報知する貯留球検出スイッチが配置されている。」と訂正する。
（ｃ）発明の詳細な説明中段落【０００５】の「［作用］１群のパチンコ球の循環経路の途中に設けた待機誘導部で待機するパチンコ球数が不足すると、待機球検出センサがパチンコ球数の不足を検出し、この待機球検出センサの検出信号によって球送り出し機構が作動してパチンコ球が前記待機誘導部に補給される。」を、
「［作用］１群のパチンコ球の循環経路の途中に設けた待機誘導部で待機するパチンコ球数が不足すると、待機球検出センサがパチンコ球数の不足を検出し、この待機球検出センサの検出信号によって球送り出し機構が作動してパチンコ球が前記待機誘導部に補給される。
また、球詰りなどの原因によって貯留誘導部のパチンコ球が不足したときには．貯留球検出スイッチの検出信号に基づいて貯留球数不足状態を報知することができる。」と訂正する。
（ｄ）発明の詳細な説明中段落【００５１】、【００５３】、【００５５】、【００６０】に記載の「待機誘導部５２Ｄ」を、
「待機誘導部５２Ｅ」と訂正する。
（ｅ）図面の簡単な説明の符号の説明中「５２Ｄ待機誘導部」を、
「５２Ｅ待機誘導部」と訂正する。
イ．訂正の目的の適否、新規事項の有無、及び拡張・変更の存否
　上記訂正事項（ａ）は、明細書段落【００５４】の記載から、請求項１の「パチンコ球の循環経路」に「待機誘導部の上流側に位置してパチンコ球を貯留する貯留誘導部を有し、前記貯留誘導部には、前記球送り出し機構が設けられるとともに、前記貯留誘導部のパチンコ球の不足を検出してその検出信号に基づいて前記貯留誘導部のパチンコ球の不足を報知する貯留球検出スイッチが配置されている」構成を付加したものであって、パチンコ球の循環経路を限定したものであるから、特許請求の範囲の減縮を目的とするものである。
　上記訂正事項（ｂ）、（ｃ）は、上記訂正に伴い、これらと整合を図るために、発明の詳細な説明を訂正するものであるから、明りょうでない記載の釈明を目的とするものである。
　上記訂正事項（ｄ）、（ｅ）は、明細書段落【００２０】に「待機誘導部５２Ｅ」と記載され、図１、３の記載においても、「待機誘導部」の符号は５２Ｅであるから、誤記の訂正を目的とするものである。
　そして、上記訂正は願書に添付した明細書または図面に記載された事項の範囲を越えるものとは認められないから、新規事項の追加に該当せず、また特許請求の範囲を実質的に拡張または変更するものではない。
　したがって、上記訂正は特許法等の一部を改正する法律（平成６年法律第１１６号。以下「平成６年改正法」という。）附則第６条第１項の規定によりなお従前の例によるとされる、平成１１年改正前の特許法第１２０条の４第３項で準用する平成６年改正法による改正前の特許法第１２６条第１項ただし書、第２項および第３項の規定に適合するので、当該訂正を認める。
３．特許異議の申立についての判断
（１）本件発明
　上記２．で示したように上記訂正が認められるから、本件の請求項１に係る発明（以下、本件発明という。）は、上記訂正に係る訂正明細書の特許請求の範囲の請求項１に記載された次の事項により特定されるとおりのものである。
「【請求項１】発射レール上の打球位置から発射されて再び前記打球位置へ還元される１群のパチンコ球の循環経路の途中には前記打球位置へ送り込まれるパチンコ球を待機させる待機誘導部と、この待機誘導部で待機するパチンコ球数の不足を検出する待機球検出手段と、この待機球検出手段の検出信号によって作動してパチンコ球を前記待機誘導部へ補給する球送り出し機構とを設け、前記循環経路は、前記待機誘導部の上流側に位置してパチンコ球を貯留する貯留誘導部を有し、前記貯留誘導部には、前記球送り出し機構が設けられるとともに、前記貯留誘導部のパチンコ球の不足を検出してその検出信号に基づいて前記貯留誘導部のパチンコ球の不足を報知する貯留球検出スイッチが配置されていることを特徴とするパチンコ球の循環制御装置。」
（２）引用刊行物に記載された発明
　当審が平成１３年８月２２日付けで通知した取消の理由で引用した刊行物１（特開昭５１−７８４５１号公報）には、
「本発明は一定数の遊戯球を遊戯機内に封入して遊戯機内で循環させるようにし、遊戯者が遊戯開始の条件として遊技場内で予め求めた金属製円板など（以下、これをメダルという）を遊戯機に投入することによりメダル一個につき一定数（例えば１０個又は１５個など）の遊戯球が打込まれ得るように準備され、準備された同遊戯球の残数を検知して同遊戯球が所定数に減じたとき自動的に補給し、ゲームを継続して行い得るようにしたものであって、これにより前記従来のものの欠点を解消したものである。」（第１頁右欄第２０行〜第２頁左上欄第１０行）、
「前記セーフ孔７に入った遊戯球はすべての保進機構１３（第１図参照）に送られるようになっており、同保進機構１３および前記アウト穴８は遊戯球整列管１４に連通している。同遊戯球整列管１４の途中には遊戯球整列確認装置１５、遊戯球送り出し装置１６および遊戯球残数検知器１７が設けられている。」（第２頁右上欄第４行〜第１１行）、
「遊戯球整列確認装置１５、遊戯球送り出し装置１６および遊戯球残数検知器１７の構成の一例を第３図について説明する。前記保進機構１３および既記アウト穴８に連通する球整列管１４はその下部が鈎状に彎曲しており、一腕が上記球整列管１４の緩傾斜部と並行に設けられたベルクランク２５の折曲腕端２５ａは図示の常態ではばね２６による回動習性により上記管１４に穿設された孔から同管内に進出して遊戯球の転勤を阻止するようになっている。上記ベルクランク２５の他腕２５ｂには電磁石２７のプランジャ２８の先端が接しており、さらに自由端部が上記管１４に穿設した孔によって摺動案内される杆２９の一端が枢着されている。このように構成されたものが前記球送り出し装置１６になるものであって、電磁石２７が励磁されるときにはプランジャ２８が図の右方に進出してベルクランク２５を習性に抗して右旋させ、連杆２９が右方に移動して同杆の自由端が管４の上方に詰っている球の落下を阻止するとともに、上記ベルクランク２５に折曲端２５ａが上記管１４から抜け出し、同折曲端２５ａと上記連杆２９の自由端との間の上記管１４内に詰っていた一定数の球（図示の例では１５個）を管１４の下方に向かって放出する。その後前記電磁石２７の励磁が止まるとベルクランク２５が習性により復帰し、上記連杆２９によって落下が阻止されていた管１４中の球が上記ベルクランク２５の折曲端２５ａによって阻止される位置まで順次転動し、図示の状態になる。第３図の右上方の球整列管１４の側方には電磁石３０、同電磁石の励磁によって吸引され揺動する板３１，同板と一体の絶縁材３２、同絶縁材によって支持された弾性接片３３、３４、同接片３３と一体に連杆３５が設けられており、同連杆３５の自由端を、管１４内で転動が阻止されている球をＢ１から数えて１５個目の球Ｂ１５に対応する上記管１４に穿設した孔に臨ませ、これら遊戯球整列確認装置１５を構成している。いま、図示のようにベルクランク２５の折曲端２５ａにより球の転動が阻止され、管１４内に球が所定数（図示の例では１５個）以上溜つているとき電磁石３０が励磁されると、揺動板３１、同板と実質一体の接片３３、３４が図において左旋するが、管１４内の球Ｂ１５によって連杆３５の移動が阻止され、上記接片３３は、第４図に示されるようにその基部が撓み、同接片３３の他の接片３４とが接触する。しかし、上記管１４内の球が所定数に満たないときに電磁石３０が励磁されても、揺動板３１，接片３３、３４、連杆３５は一体的に揺動するのみで、上記接片３３、３４は接触しない。」（第２頁右下欄第５行〜第３頁右上欄第１６行）、
「前記管１４の出口近くの底部には同管の長さの方向に細構が穿たれ、同細構からは弾力の弱いばね３６により第３図において左旋習性を有する揺動板３７の突出縁３７ａが進出し、前記球送り出し装置１６から所定数の球が送り出されて上記管１４の出口附近に溜まっているときは球の重味により上記揺動板３７の突出縁３７ａが押されて同揺動板３７は習性に抗して右旋させられるが、上記管１４の出口附近の球が一定数（図示の例では５個）以下になると上記揺動板３７は習性により左旋し、同揺動板の自由端部に設けられた永久磁石３８がリードスイッチ３９に近づき、同リードスイツチを閉じるようになっている。即ちこれらは球残数検知器１７を構成している。上記管１４の出口から落下した球は第１図に示した打込みレバー２によって打上げられ得る態勢になる。」（第３頁右上欄第１７行〜左下欄第１３行）、
「前述のように管１４の出口附近に球が存在しないときは球残数検知器１７における揺動板３７が第３図において左旋し、リードスイッチ３９が閉じるから、電源Ｐ、スイッチ４３、スイッチ３９、スイッチＳ２４、パルス発振器４４で閉回路を形成して同パルス発振器がパルス信号を発し、球整列確認装置１５における電磁石３０を励磁する。球整列管１４内に所定数の球が整列しているときは上記電磁石３０の励磁により揺動板３１が揺動するとき接片３３、３４が接触するから、電源Ｐ、スイッチ４３、接片３３、３４、電磁石Ｒ２、スイッチＳ３、で閉回路を形成して上記電磁石Ｒ２を励磁し、スイッチＳ２１、Ｓ２２、Ｓ２３を閉じ、その後上記電磁石Ｒ２は自己のスイッチＳ２１を介して励磁が保持されるから、スイッチＳ２４が開いてパルス発振器４４および電磁石３０の作動が停止し、接片３３、３４が開いても前記スイッチＳ２１、Ｓ２２、Ｓ２３は閉じ続けている。上記スイッチＳ２３が閉じることにより球送出装置１６における電磁石２７が励磁され、一定数の（第３図の例では１５個）の遊戯球を球整列管１４の出口の方に送り出す。また、前記スイッチＳ２２が閉じることによりスイッチ４３、スイッチＳ２２、抵抗Ｒ、電磁石Ｒ２および蓄電器Ｃ、電源Ｐで閉じる回路を形成するが、上記スイッチＳ２２が閉じた当初においては蓄電器Ｃを介して電流が流れるため電磁石Ｒ２は励磁されず、一定時間後上記蓄電器Ｃの充電が進むと上記電磁石Ｒ２がわに多くの電流が流れて同電磁石が励磁され、スイッチＳ３が開いて前記電磁石Ｒ２の励磁が絶たれ、前記スイッチＳ２１、Ｓ２２、Ｓ２３が開いて球送出装置１６の電磁石２７の励磁も絶たれ、同球送出装置１６は第３図の状態に復帰し、管１４内の球も図示の状態に整列する。」（第４頁左上欄第１２行〜左下欄第５行）、
「球整列管１４の出口附近に整列した球は遊戯者による打込みレバー２の操作により順次遊戯機に打込まれ、セーフ穴７に入った球は保進機構１３を作動させて同機構中のり一ドスイッチ２４によりセーフ球−個につき一つのパルス信号を発し、加減算しジスタ４１を加算させ、それに応じて加減算表示部６およびスイッチ４３を加算する。上記保進機構Ｌ立を通過した球およびアウト穴８を通過した球は上記管１４内に再び整列する。球の打込みにより上記管１４の出口附近の球が一定数（第３図の例では５個）以下になると球残数検知器１７の揺動板３７が自己の習性により第３図において左旋し、リードスイッチ３９を閉じ、前述の経過を辿って球送出装置１６が作動して一定数の球を送り出す。」（第４頁左下欄第１４行〜右下欄第９行）、
と記載されている。
　上記記載を総合すると、刊行物１には、「一定数の遊戯球を遊戯機内に封入し、打球位置から打込みレバーによって遊戯球を打上げ、打上げられた遊戯球は再び打球位置へ還元される遊戯球の循環経路の途中に遊戯球整列管１４を設け、遊戯球整列管１４は、その途中に遊戯球整列確認装置１５、ベルクランク２５を有する遊戯球送り出し装置１６および遊戯球残数検知器１７が設けられており、遊戯球整列管１４の遊戯球送り出し装置１６（ベルクランク２５の折曲部２５ａ）の下流に待機している遊戯球が出口付近で一定数以下になると、遊技球整列管１４の出口付近に設けた球残数検知器１７がこれを検知して遊戯球整列確認装置１５に出力し、遊戯球整列確認装置１５は遊戯球整列管１４の所定位置（ベルクランク２５の折曲部２５ａと連杆２９との間）に所定数の遊戯球が存在しているか否かを確認し、存在している場合には、遊戯球整列確認装置１５から遊戯球送り出し装置１６に出力して遊戯球送り出し装置１６を作動（ベルクランク２５の折曲部２５ａを回動）させて、遊戯球整列管１４の遊戯球送り出し装置１６（ベルクランク２５の折曲部２５ａ）の上流に待機している一定数の球を遊技球整列管１４の出口方向に送り出し、存在していない場合には、遊戯球整列確認装置１５から遊戯球送り出し装置１６に出力せずに遊戯球送り出し装置１６を作動させないようにした、パチンコ球の循環制御装置」が記載されているものと認める。
（対比・判断）
　本件発明と刊行物１に記載の発明を対比すると、遊戯球はパチンコ球であり、上記刊行物１の「一定数の遊戯球を遊戯機内に封入し、打球位置から打込みレバーによって遊戯球を打上げ、打上げられた遊戯球は再び打球位置へ還元される遊戯球の循環経路」、「遊戯球整列管１４の遊戯球送り出し装置１６（ベルクランク２５の折曲部２５ａ）の下流」、「球残数検知器１７」、「遊戯球送り出し装置１６」および「遊戯球整列管１４の遊戯球送り出し装置１６（ベルクランク２５の折曲部２５ａ）の上流」は、その機能からみて、本件発明の「発射レール上の打球位置から発射されて再び前記打球位置へ還元される１群のパチンコ球の循環経路」、「打球位置へ送り込まれるパチンコ球を待機させる待機誘導部」、「待機誘導部で待機するパチンコ球数の不足を検出する待機球検出手段」、「この待機球検出手段の検出信号によって作動してパチンコ球を前記待機誘導部へ補給する球送り出し機構」および「待機誘導部の上流側に位置してパチンコ球を貯留する貯留誘導部」に各々相当し、刊行物１の「遊戯球整列確認装置１５」は、遊戯球送り出し装置１６のベルクランク２５の折曲部２５ａより上流側（貯留誘導部）に所定数の遊戯球が存在しているか否かを確認する、即ち、貯留誘導部のパチンコ球の不足も検出する貯留球検出スイッチであるから、
　両者は、「発射レール上の打球位置から発射されて再び前記打球位置へ還元される１群のパチンコ球の循環経路の途中には前記打球位置へ送り込まれるパチンコ球を待機させる待機誘導部と、この待機誘導部で待機するパチンコ球数の不足を検出する待機球検出手段と、この待機球検出手段の検出信号によって作動してパチンコ球を前記待機誘導部へ補給する球送り出し機構とを設け、前記循環経路は、前記待機誘導部の上流側に位置してパチンコ球を貯留する貯留誘導部を有し、前記貯留誘導部には、前記球送り出し機構が設けられるとともに、前記貯留誘導部のパチンコ球の不足を検出する貯留球検出スイッチが配置されているパチンコ球の循環制御装置。」である点で一致するが、下記の点で相違する。
（相違点）
　上記貯留球検出スイッチが、本件発明では、貯留誘導部のパチンコ球の不足を検出してその検出信号に基づいて前記貯留誘導部のパチンコ球の不足を報知するのに対し、刊行物１に記載の発明では、上記のような報知機能を具備していない点。
　上記相違点について検討すると、パチンコ機において、賞球等の貯留部でのパチンコ球の不足を検出してその検出信号に基づいて前記貯留部のパチンコ球の不足を報知することは周知（特開昭６２ー２８６４８３号公報、実願平１ー３３９１８号（実開平２ー１２３２８７号）のマイクロフィルム、実願平１ー１２０４６８号（実開平３ー５８４８２号）のマイクロフィルム）であり、刊行物１に記載の発明は、貯留誘導部でのパチンコ球の不足が生ずると、貯留球検出スイッチ（遊戯球整列確認装置）がこの不足を検知し、球送り出し機構（球送出装置）の作動を行わないようにするものであって、上記パチンコ球の不足の発生原因が、貯留球検出スイッチ（遊戯球整列確認装置）の上流側での球詰まりによる場合には、球詰まりを解除しなければ遊技ができなくなるものであるから、そのような場合に備えて、貯留球検出スイッチ（遊戯球整列確認装置）に、上記周知技術である報知機能を付加することは当業者が容易になし得るものである。
　そして、本件発明において、貯留球検出スイッチを設けた効果も、刊行物１に記載の発明および周知技術から当業者が容易に想到し得るものであって格別顕著なものとは認められない。                 
４．むすび
　以上のとおりであるから、本件発明は、特許法第２９条第２項の規定により特許を受けることができない。
　したがって、本件発明についての特許は拒絶の査定をしなければならない特許出願に対してされたものと認める。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１４年３月２５日（２００２．３．２５）
【訂正の要旨】
　特許第３００１６８７号の特許明細書を本件訂正請求書に添付の訂正明細書のとおりに訂正する。即ち、特許請求の範囲の減縮を目的として下記（ａ）のとおり訂正し、明りょうでない記載の釈明を目的として下記（ｂ）、（ｃ）のとおり訂正し、誤記の訂正を目的として下記（ｄ）、（ｅ）のとおり訂正する。
（ａ）特許請求の範囲の請求項１の「発射レール上の打球位置から発射されて再び前記打球位置へ還元される１群のパチンコ球の循環経路の途中には前記打球位置へ送り込まれるパチンコ球を待機させる待機誘導部と、この待機誘導部で待機するパチンコ球数の不足を検出する待機球検出手段と、この待機球検出手段の検出信号によって作動してパチンコ球を前記待機誘導部へ補給する球送り出し機構とを設けたことを特徴とするパチンコ機の循環制御装置。」を、
「発射レール上の打球位置から発射されて再び前記打球位置へ還元される１群のパチンコ球の循環経路の途中には前記打球位置へ送り込まれるパチンコ球を待機させる待機誘導部と、この待機誘導部で待機するパチンコ球数の不足を検出する待機球検出手段と、この待機球検出手段の検出信号によって作動してパチンコ球を前記待機誘導部へ補給する球送り出し機構とを設け、前記循環経路は、前記待機誘導部の上流側に位置してパチンコ球を貯留する貯留誘導部を有し、前記貯留誘導部には、前記球送り出し機構が設けられるとともに、前記貯留誘導部のパチンコ球の不足を検出してその検出信号に基づいて前記貯留誘導部のパチンコ球の不足を報知する貯留球検出スイッチが配置されていることを特徴とするパチンコ球の循環制御装置。」と訂正する。
（ｂ）発明の詳細な説明中段落【０００４】の「［課題を解決するための手段］本発明のパチンコ球の循環制御装置は発射レール上の打球位置から発射されて再び前記打球位置へ還元される１群のパチンコ球の循環経路の途中には前記打球位置へ送り込まれるパチンコ球を待機させる待機誘導部と、この待機誘導部で待機するパチンコ球数の不足を検出する待機球検出手段と、この待機球検出手段の検出信号によって作動してパチンコ球を前記待機誘導部へ補給する球送り出し機構とを設けた構成を有する。」を、
「［課題を解決するための手段］本発明のパチンコ球の循環制御装置は、発射レール上の打球位置から発射されて再び前記打球位置へ還元される１群のパチンコ球の循環経路の途中には前記打球位置へ送り込まれるパチンコ球を待機させる待機誘導部と、この待機誘導部で待機するパチンコ球数の不足を検出する待機球検出手段と、この待機球検出手段の検出信号によって作動してパチンコ球を前記待機誘導部へ補給する球送り出し機構とを設け、前記循環経路は、前記待機誘導部の上流側に位置してパチンコ球を貯留する貯留誘導部を有し、前記貯留誘導部には、前記球送り出し機構が設けられるとともに、前記貯留誘導部のパチンコ球の不足を検出してその検出信号に基づいて前記貯留誘導部のパチンコ球の不足を報知する貯留球検出スイッチが配置されている。」と訂正する。
（ｃ）発明の詳細な説明中段落【０００５】の「［作用］１群のパチンコ球の循環経路の途中に設けた待機誘導部で待機するパチンコ球数が不足すると、待機球検出センサがパチンコ球数の不足を検出し、この待機球検出センサの検出信号によって球送り出し機構が作動してパチンコ球が前記待機誘導部に補給される。」を、
「［作用］１群のパチンコ球の循環経路の途中に設けた待機誘導部で待機するパチンコ球数が不足すると、待機球検出センサがパチンコ球数の不足を検出し、この待機球検出センサの検出信号によって球送り出し機構が作動してパチンコ球が前記待機誘導部に補給される。
また、球詰りなどの原因によって貯留誘導部のパチンコ球が不足したときには．貯留球検出スイッチの検出信号に基づいて貯留球数不足状態を報知することができる。」と訂正する。
（ｄ）発明の詳細な説明中段落【００５１】、【００５３】、【００５５】、【００６０】に記載の「待機誘導部５２Ｄ」を、
「待機誘導部５２Ｅ」と訂正する。
（ｅ）図面の簡単な説明の符号の説明中「５２Ｄ待機誘導部」を、
「５２Ｅ待機誘導部」と訂正する。
（５４）【発明の名称】
パチンコ球の循環制御装置
（５７）【特許請求の範囲】
　【請求項１】　発射レール上の打球位置から発射されて再び前記打球位置へ還元される１群のパチンコ球の循環経路の途中には前記打球位置へ送り込まれるパチンコ球を待機させる待機誘導部と、この待機誘導部で待機するパチンコ球数の不足を検出する待機球検出手段と、この待機球検出手段の検出信号によって作動してパチンコ球を前記待機誘導部へ補給する球送り出し機構とを
設け、
　前記循環経路は、前記待機誘導部の上流側に位置してパチンコ球を貯留する貯留誘導部を有し、
　前記貯留誘導部には、前記球送り出し機構が設けられるとともに、前記貯留誘導部のパチンコ球の不足を検出してその検出信号に基づいて前記貯留誘導部のパチンコ球の不足を報知する貯留球検出スイッチが配置されていること
【発明の詳細な説明】
　【０００１】
　【産業上の利用分野】
　この発明は循環式パチンコ機においてパチンコ機内で循環させて回収使用する１群のパチンコ球の循環制御装置に関する。
　【０００２】
　【従来の技術】
　循環式パチンコ機では機内に封入された一定個数のパチンコ球を使用し、打球位置へ送り込まれたパチンコ球を順次発射し、発射されたパチンコ球を回収して再び打球位置へ送り込み、パチンコ機内を循環させるように構成されている。
　【０００３】
　【発明が解決しようとする課題】
　本発明はパチンコ機内を循環する１群のパチンコ球のうち、待機位置で待機して打球位置へ還元されるパチンコ球の不足状態を解消することを課題とするものである。
　【０００４】
　【課題を解決するための手段】
　本発明のパチンコ球の循環制御装置は、発射レール上の打球位置から発射されて再び前記打球位置へ還元される１群のパチンコ球の循環経路の途中には前記打球位置へ送り込まれるパチンコ球を待機させる待機誘導部と、この待機誘導部で待機するパチンコ球数の不足を検出する待機球検出手段と、この待機球検出手段の検出信号によって作動してパチンコ球を前記待機誘導部へ補給する球送り出し機構とを
設け、
　前記循環経路は、前記待機誘導部の上流側に位置してパチンコ球を貯留する貯留誘導部を有し、
　前記貯留誘導部には、前記球送り出し機構が設けられるとともに、前記貯留誘導部のパチンコ球の不足を検出してその検出信号に基づいて前記貯留誘導部のパチンコ球の不足を報知する貯留球検出スイッチが配置されている。
　【０００５】
　【作用】
　１群のパチンコ球の循環経路の途中に設けた待機誘導部で待機するパチンコ球数が不足すると、待機球検出センサがパチンコ球数の不足を検出し、この待機球検出センサの検出信号によって球送り出し機構が作動してパチンコ球が前記待機誘導部に補給される。
　また、球詰りなどの原因によって貯留誘導部のパチンコ球が不足したときには、貯留球検出スイッチの検出信号に基づいて貯留球数不足状態を報知することができる。
　【０００６】
　【発明の効果】
　本発明は前記したように構成してあるので、待機誘導部で待機するパチンコ球数が不足した場合に不足分のパチンコ球を待機誘導部へ的確に送り込んで補給することができ、待機中のパチンコ球数の不足状態が起生する不具合を未然に防止することができる。
　従って、打球位置へ還元されるパチンコ球を定常的に確保してパチンコ球を待機誘導部から打球位置へ途切れずに送り込むことができる。
　【０００７】
　【実施例】
　次に、本発明の１実施例を図面にしたがって説明する。
　一定個数のパチンコ球が機内に封入され、ゲームに必要な事項を記録したカード（遊技券）のためのカード処理システムを備えた循環式パチンコ機において、木製の外枠に前方への回動可能に軸支された方形枠状の枠１の裏面には枠１の開口部とほぼ等しい形状の開口部を有する方形枠状のメインセット枠２が装着され、このメインセット枠２の下部に垂立された下板２ａの裏面には横長の長方形状の取付基板３が取付けられている。メインセット枠２の開口部内には裏セット枠３０を介して遊技盤２５が脱着可能に嵌め込まれている。取付基板３は片側の下コーナ部付近に切欠き部を有する第１取付板３Ａと、この第１取付板３Ａの切欠き部に嵌め込まれた第２取付板３Ｂとに分割されている。
　【０００８】
　メインセット枠２の取付基板３の第１取付板３Ａの前面の片側には発射されたパチンコ球を遊技盤面へ誘導する発射レール４がレール台を介して内方に向って上傾した姿勢で取付けられている。
　【０００９】
　取付基板３の第２取付板３Ｂの裏面に組付けられた発射制御機構において、取付基板３の第２取付板３Ｂの裏面にビス着された発射モータセット板５には発射モータ６が取付けられ、この発射モータ６の出力軸６ａには凸部７ａを有する１山のモータカム７が取付けられている。
　【００１０】
　発射モータセット板５の下端に形成された角筒状の取付部５ａ内には発射制御回路がプリントされたモータ制御基板８が装入されている。
　【００１１】
　モータカム７の内方で取付基板３に回動可能に貫挿支持された支軸１９の後端にはハンマセット板９が固定され、このハンマセット板９のモータカム７側端部にはモータカム７に摺接して転動するカムフォロア９ａが回転可能にピン着され、ハンマセット板９の反モータカム９側端部には引きばねローラ９ｂがピン着され、ハンマセット板９の上部には後方へ延出された延出部１０ａと、この延出部１０ａの前端に直交状に連接された垂立部１０ｂと、この垂立部１０ｂの下端に連接されてループ状に湾曲された取付部１０ｃとを有する球送りワイヤ１０の取付部１０ｃがボルト８１によって締着されている。
　【００１２】
　取付基板３に貫設された横長状のガイド孔３ａ内には横一列に配列された複数個の調整孔１２ａが貫設されてハンマセット板９側へ延出された延出部１２ｂを有する引きばね片１２が左右方向への移動可能に貫挿され、この引きばね片１２と、ハンマセット板９の引きばねローラ９ｂとにはパチンコ球を発射させる強さを設定する引きばね１３が掛架されている。
　【００１３】
　モータカム９の下方には枠１の下端に軸支されて枠１の前方に突出されたハンドルにハンドル軸を介して連動可能に連結されたハンドル連動カム１４と、この連動カム１４に対接されたローラ１５ａを備え、連動カム１４に対向して左右方向への揺動可能に軸支された可動片１５とが配設されている。
　【００１４】
　引きばね片１２の下方には取付基板３に引きばね片１２に対向して左右方向への揺動可能に吊支されて揺動角度が７段階に調整される球とび調整片１６が配設され、この球とび調整片１６の上部付近には後方へ突出された支軸１６ａが挿着されている。
　【００１５】
　球とび調整片１６に支軸１６ａを介して揺動可能に軸支された引きばね駆動アーム１７の上端には引きばね片１２の調整孔１２ｂ内に選択的に係入されて引きばね片１２と引きばね駆動アーム１７とを連動可能に連繋するピン１７ａが突設され、引きばね駆動アーム１７の下端には外端が可動片１５の上端に繋止されて可動片１５と引きばね駆動アーム１７とを連動可能に連結する連結ワイヤ１８の内端が繋止されている。
　【００１６】
　ハンドルを回動してハンドル連動カム１４の回動角度を調整すると、可動片１５および引きばね駆動アーム１７が揺動して引きばね片１２が左右方向へ進退動し、引きばね１３が伸縮して引きばね１３の弾発力が増減する。
　【００１７】
　ハンマセット板９が嵌着された前記支軸１９の前端には発射レール４の基端部上の打球位置のパチンコ球を叩打して発射レール４上から遊技盤面へ向けて発射させる打球ハンマ２０がハンマセット板９との共同回動動作可能に嵌着され、この打球ハンマ２０はボルト８１によって球送りワイヤ１０とともにハンマセット板９に締結され、打球ハンマ２０の上端には発射レール４側へ突出された叩打部２０ａが形成されている。
　【００１８】
　取付基板３の前面に打球ハンマ２０の上下端付近にそれぞれ対向して取着された上下１対の当てゴムホルダ２２には打球ハンマ２０が打球後に衝突して打球ハンマ２０の回動端を規定する当てゴム２３がそれぞれ嵌装されている。
　【００１９】
　取付基板３には発射レール４の基端部の上方に配設されてパチンコ球を取付基板３の裏側から発射レール４の基端部上へ送り込むための球送り口２６が開口されるとともに、取付基板３の前面で打球位置の若干上方には打球位置のパチンコ球の転落を阻止する球止め片２７が取付けられている。
　【００２０】
　取付基板３の裏面には先端部が球送り口２６付近に配設された横長状の球送り樋７０が球送り口２６側へ若干下傾して取付けられ、メインセット枠２の下部裏側にはパチンコ球を受入れて待機させかつ打球位置へ誘導して還元させる待機誘導部５２Ｅが発射制御機構に対向して配設されている。
　【００２１】
　球送り樋７０には取付基板３の後方に垂立された横長状の後壁板７０ａと、この後壁板７０ａの上端縁に連接されて前方へ横出された上壁板７０ｂと、後壁板７０ａの前面下部にその基端から先端の内方にわたって先端に向って下傾した状態で連接されて前方へ横出され、パチンコ球が横一列に配列されて転動可能に載置される底壁板７０ｃと、後壁板７０ａおよび底壁板７０ｃにわたって開設された複数個の透視窓７０ｄとが形成され、取付基板３と球送り樋７０の後壁板７０ａとの間で底壁板７０ｃ上には適数個のパチンコ球を１列に配列させて待機させ、１個づつ打球位置へ送り込む第８循環通路４６Ｈが形成され、第８循環誘導通路４６Ｈの先端は球送り口２６に対置されている。
　【００２２】
　球送り樋７０の後壁板７０ａの先端には前方へ横出された上支軸７３および下支軸７４が挿着され、この下支軸７４には水平状の上片２４ａと、この上片２４ａの内端付近に直交状に垂下された下片２４ｂとを有する球送りアーム２４が前記送りワイヤ１０の上端に対向して左右方向への揺動可能に支持されている。
　【００２３】
　ハンマセット板９が反時計回り方向へ回動して球送りワイヤ１０が外方へ傾倒したときには球送りアーム２４の下片２４ｂが球送りワイヤ１０によって外方へ押動されて球送りアーム２４が時計回り方向へ揺動する。
　【００２４】
　球送り樋７０の上支軸７３には球送り樋７０の先端部内に装入されて球送りアーム２４の上片２４ａ上に設置された球送り制御片２８が球送り口２６に対向して揺動可能に支持されている。この球送り制御片２８には上面が前方に向って下傾する凹曲面状で１個のパチンコ球の受取りおよび送り出しが可能な球受け部２８ａと、この球受け部２８ａの基端に連接されて上支軸７３が貫挿されたボス部２８ｂと、このボス部２８ｂに連接されて外方へ延出された延出部２８ｃとが形成され、この延出部２８ｃの先端には球送りアーム２４の上片２４ａ上に載置された錘り２９がピン着されている。
　【００２５】
　球送り制御片２８は錘り２９の重量によって常には球受け部２８ａが上動した揺動姿勢で保持され、球受け部２８ａの先端縁が球送り樋７０の底壁板７０ｃ上の先頭のパチンコ球に突き当てられている。球送りアーム２４の下片２４ｂが球送りワイヤ１０で外方へ押動されたときには錘り２９が球送りアーム２４の上片２４ａで押上げられて球送り制御片２８の球受け部２８ａが下方へ変位し、球受け部２８ａの先端縁が球送り樋７０の底壁板７０ｃの先端縁に整合され、底壁板７０ｃ上の先頭のパチンコ球が球受け部２８ａ上へ移載されて前方へ送り出され、球送り口２６を通り抜けて発射レール４の基端上の打球位置へ移載される。
　【００２６】
　球送り樋７０の底壁板７０ｃの中央部の下側には第８循環通路４６Ｈの中央部付近で待機するパチンコ球の有無を検出する待機球検出スイッチ（近接スイッチ）７５が取付けられ、第８循環通路４６Ｈの出口から待機球検出スイッチ７５の上方位置までの間に配列される規定数のパチンコ球が不足した待機球数不足時には待機球検出スイッチ７５が検出信号を発信する。
　【００２７】
　メインセット枠２の取付基板３の上端に間隙を隔てて垂立された左右の壁板３ｃ，３ｄのうち、一方の壁板３ｃの内端には上部の正面形状が逆Ｖ形状で上部が壁板３ｃ上へ突出されて下部の正面形状が円弧状の球止め部材４０が連接されている。
　【００２８】
　球止め部材４０内の下部には発射レール４上から発射されたパチンコ球のうち、発射レール４側へ戻ったファール球を受止めて落下させる球止め片４２がその先端面を露出した状態で設置されている。
　【００２９】
　壁板３ｄの内端付近の下方で取付基板３の前面には図６に示すように壁板３ｄの内端縁の下端の内方にファール球を通過させる球通し口４３を隔てて縦設された内縦樋板４４ａと、この内縦樋板４４ａの下端に連接されて外方へ若干下傾した状態で横設された横樋板４４ｂと、この上横樋板４４ｂの外端に連接されて若干外傾状に縦設された外縦樋板４４ｃと、この外縦樋板４４ｃの下端に連接されて外方へ若干下傾した状態で横設され、外端付近の端縁が円弧状に湾曲された中横樋板４４ｄと、この中横樋板４４ｄの下方に並行状に横設されて内端付近の正面形状が円弧状に形成され、外端縁付近の平面状が円弧状に湾曲された下横樋板４４ｅと、中、上横樋板４４ｄ，４４ｅの外端付近に連接されて横断面形状が円弧状に湾曲された蓋板４４ｆとを有するファール球用の表誘導樋４４が突出形成されている。
　【００３０】
　表誘導樋４４の上横樋板４４ｂの外端付近と、中横樋板４４ｄの内端付近とにはファール球が通過する上下１対の球通し口４５が開口されている。
　【００３１】
　表誘導樋４４はその各樋板４４ａ〜４４ｅの前端面に当接されて外端縁が蓋板４４ｆの内端縁に掛止された表蓋４７によって覆蓋され、表蓋４７と取付基板３との間で表誘導樋４４内には回収されたファール球が集合して通り抜ける第１循環通路４６Ａが形成され、取付基板３の前側の中央部にはファール球を回収して送り出す表回収誘導部５２Ａが配設されている。
　【００３２】
　表誘導樋４４の上，中横樋板４４ｂ，４４ｄ間には上下球通し口４５間に挿入された検出口６９ａを有し、第１循環通路４６Ａを通り抜けるパチンコ球を検出する前通過球検出スイッチ６９が挟み込まれている。
　【００３３】
　取付基板３の上部には中横樋板４４ｄの外端付近と下横樋板４４ｅの外端付近との間に開設されて蓋板４４ｆによってカバーされ、第１循環通路４６Ａの先端に連通された方形孔状のファール球通し口４８が形成され、第１循環通路４６Ａへ導入されたファール球はファール球通し口４８を通り抜けて第８循環通路４６Ｈの入口付近へ導入される。
　【００３４】
　メインセット枠２の裏面の開口縁には中央部に開口部３０ｂを有し、メインセット枠２にヒンジを介して後方への回動可能に組付けられて遊技盤２５の裏面をカバーする裏セット枠３０が添設されている。
　【００３５】
　裏セット枠３０はメインセット枠２の縦枠部２ｂに取付けられた軸受け８０を介してメインセット枠２に後方への回動可能に軸支されるとともに、裏セット枠３０はメインセット枠２の裏面の開口縁付近に回動可能にビス着された複数個の締め具３１によって遊技盤２５をサンドイッチ状に挟み込んだ状態でメインセット枠２に解放可能に固止されている。
　【００３６】
　裏セット枠３０の下枠部３０ａの前面にはその左右端部付近からその中央部に向ってそれぞれ緩やかな勾配で下傾する左右の帯板状の集合樋３２，３２が突出形成されて間隙を隔てて並設され、この両集合樋３２の内端縁３２ａは高低差が付与されている。
　【００３７】
　裏セット枠３０の下枠部３０ａの前面中央部には一方の集合樋２２の内端縁３２ａに連接されて垂下された第１仕切り板３５と、他方の集合樋３２の内端縁３２ａの下方に配設されて第１仕切り壁３５の側方に間隙を隔てて垂立された垂立片３６ａおよびこの垂立片３６ａの上端に直交状に連接された上片３６ｂを有する第２仕切り板３６とが突出形成されている。
　【００３８】
　裏セット枠３０の下枠部３０ａの前面にはこの下枠部３０ａの前方に垂立された横長状の裏板３７が並着され、この裏板３７の下端の中央部付近には球通し窓３８が開口されている。
　【００３９】
　裏セット枠３０の下枠部３０ａと裏板３７との間で両仕切り壁３５，３６間には遊技盤２５の裏面から両集合樋３２上へ転落したセーフ球およびアウト球を通過させる第２循環通路４６Ｂが垂直状に形成されるとともに、一方の集合樋３２の内端付近と第２仕切り壁３６の水平片３６ｂとの間には第２循環通路４６Ｂを通過したセーフ球およびアウト球を検出する後通過球検出スイッチ７６が挟み込まれている。
　【００４０】
　遊技盤２５の裏面へ送り出されたセーフ球および遊技盤２５の下端のアウト球受口２５ａから送り出されたアウト球は両集合樋３２上へ転落して内方へ転動し、第２循環通路４６Ｂを通り抜けて球通し窓３８内へ導入される。
　【００４１】
　取付基板３の裏面の上端付近には後方へ水平状に突出された支持板３ｅが取付基板３のほぼ全長にわたって形成され、この支持板３ｅの中央部付近には球通し窓３８を通り抜けて落下したセーフ球およびアウト球を通過させる切り欠き部３ｆが形成されている。
　【００４２】
　取付基板３の裏面中央部の上端付近には図７に示すように球通し窓３８の下方に縦設されて支持板３ｅの切り欠き部３ｆの端縁に連接された縦樋板５０ａと、この縦樋板５０ａの下端に連接されて内方へ下傾した上樋板５０ｂと、この上樋板５０ｂの先端に連接されて上樋板５０ｂの傾斜方向と同方向へ下傾した中樋板５０ｃと、この中樋板５０ｃの両端部にそれぞれ連接されて正面形状がほぼ左右対称の円弧状に湾曲した左右の下樋板５０ｄ，５０ｅと、中樋板５０ｃおよび右下樋板５０ｅの側方に設置されて上部が垂直状で下部が円弧状の側樋板５０ｆと、左下樋板５０ｄの円弧中心位置に配設された突片５０ｇとを有する裏誘導樋５０が突出形成され、この裏誘導樋５０は各樋板５０ａ〜５０ｆおよび突条５ｇの後端縁に当接された裏蓋５１によって覆蓋されている。裏蓋５１にはパチンコ球を透視するための透視窓５１ａ〜５１ａが開設されている。
　【００４３】
　取付基板３と裏蓋５１との間で、上樋板５０ｂ上、中樋板５０ｃ上および右下樋口板５０ｅと側樋板５０ｆとの間にはアウト球およびセーフ球を貯留および通過させる第３循環通路４６Ｃが形成され、左下樋板５０ｄと突片５０ｇとの間には第８循環通路４６Ｈに連通された第７循環通路４６Ｇが第８循環通路４６Ｈの入口に向って上傾した状態で形成され、取付基板３の後側の中央部にはセーフ球およびアウト球を回収して送り出す裏回収誘導部５２Ｂが配設されている。
　【００４４】
　取付基板３の前面中央部の下端付近には前記待機球検出スイッチ７５の検出信号に基づいて回転制御されるステッピングモータ型の球送りモータ５８が取付けられるとともに、取付基板３の裏面中央部には裏誘導樋５０の下方に連設されて取付基板３とともに球送りモータ５８に締結された樋本体５４が取付けられている。
　【００４５】
　樋本体５４には縦長状の樋部５５と、この樋部５５の下部に連接された後方開放の箱形状の取付部５６とが形成され、樋部５５にはその後面の両側縁に垂直方向に沿って突設された左右の外突条５５ａと、その後面の中央部に垂直方向に沿って突設された中突条５５ｂとが並行状に形成されるとともに、両外突条５５ａと中突条５５ｂとの間には左右１対の溝部５５ｃ，５５ｃが並行状に形成されている。
　【００４６】
　樋本体５４の樋部５５の下端には丸孔状の前通し孔５５ｄが開口され、この前通し孔５５ｄの孔縁の下部には円弧状に湾曲されて両外突条５５ａの下端に連接された下突条５５ｅが突設され、樋部５５の左右端面の上端にはそれぞれ軸部５５ｆが横出されている。
　【００４７】
　樋本体５４の取付部５６にはモータ基板ボックス５７の前端部が挿入され、このモータ基板ボックス５７内には球送りモータ５８が接続されたモータ基板５９が設置されている。
　【００４８】
　樋本体５４の樋部５５の後側に重ね合わされた樋カバー６０の上端の左右端部にはそれぞれ樋本体５４の軸部５５ｆが嵌挿された左右１対の軸受部６０ａが突出形成され、樋カバー６０は樋本体５４に両軸部５５ｆおよび両軸受部６０ａを介して上方への回動可能に連結されている。
　【００４９】
　樋カバー６０には樋本体５４の両溝部５５ｃにそれぞれ対向して縦長状の溝部６０ｂ，６０ｂが左右並行状に形成されるとともに、樋カバー６０の下端には樋本体５４の前通し孔５５ｄに対向して丸孔状の後通し孔６０ｃが開口され、溝部６０ｂの両側壁面には横断面が三角形状のリブ６０ｄがパチンコ球の通過不能な間隙を隔てて垂直方向に沿って相対向状に突設されている。
　【００５０】
　裏回収誘導部５２Ｂの下方には樋本体５４の両溝部５５ｃと樋カバー６０の両溝部６０ｂとによって形成されて、パチンコ球が縦２列に配列されて貯留される貯留誘導部５２Ｃが配設され、この貯留誘導部５２Ｃには第４循環通路４６Ｄおよび第６循環通路４６Ｆが左右並行状に形成され、第４循環通路４６Ｄの上端は第３循環通路４６Ｃの下端に連通され、第６循環通路４６Ｆの上端は第７循環通路４６Ｇの下端に連通されている。
　【００５１】
　貯留誘導部５２Ｃに貯留されたパチンコ球を必要時に
待機透導部５２Ｅ
　【００５２】
　第４、第６循環通路４６Ｄ，４６Ｆの下方には貯留誘導部５２Ｃのパチンコ球を上方から上方へＵターン状に曲進移送させる第５循環通路４６Ｅが球送り歯車６８の各球受け部６８ａによって形成されるとともに、貯留誘導部５２Ｃの途中には球送り出し部５２Ｄが配設されている。
　【００５３】
　球送り歯車６８は球送りモータ５８によって時計回り方向へ６０°づつ間欠的に回転駆動され、球送り歯車６８が６０°回転すると、第４循環通路４６Ｄ内の先頭のパチンコ球が第５循環通路４６Ｅ内へ進入して球送り歯車６８の球受部６８ａで受止められ、第５循環通路４６Ｅ内の先頭パチンコ球が第６循環通路４６Ｆ内へ進入し、第６循環通路４６Ｆ内の先頭のパチンコ球が押出されて第７循環通路４６Ｇ内へ進入し、第７循環通路４６Ｇ内の先頭のパチンコ球が押出されて第８循環通路４６Ｈ内へ進入し、
待機誘導音部５２Ｅ
　【００５４】
　樋本体５４の樋部５５の中央部付近の前側には取付基板３に凹設された凹部３ｇ内に嵌挿されて第４循環通路４６Ｄ内のパチンコ球の不足を検出して検出信号を発信する貯留球検出スイッチ７７が設置され、球詰りなどの原因によって第４循環通路４６Ｄ内のパチンコ球が不足したときにはこの貯留球検出スイッチ７７の検出信号に基づいて貯留球数不足状態が外部に報知される。
　【００５５】
　パチンコ機内には打球位置から発射されたパチンコ球のうち、セーフ球およびアウト球が打球位置→裏回収誘導部５２Ｂ→貯留誘導部５２Ｃ→
待機透導部５２Ｅ
往機誘導部５２Ｅ
　【００５６】
　樋カバー６０の後側には樋カバー６０の左側の溝部６０ｂを覆蓋する蓋板６３が重ね合わされ、この蓋板６３には縦長状の蓋部６３ａと、この蓋部６３ａの側縁には樋カバー６０の反係止部６３ｂ側の側縁６０ｅに係合された係合部６３ｃが縦設され、蓋板６３はこの係合部６３ｃと係止部６３ｂとによって樋カバー６０に取外し可能に組付けられている。
　【００５７】
　蓋板６３の蓋部６３ａの上下端部には楕円形状の通し孔６３ｄがそれぞれ貫設されるとともに、蓋部６３ａの前面には樋カバー６０の左側の溝部６０ｂに対置された縦長状の溝部６４が両通し孔６３ｄ間にわたって凹設されている。
　【００５８】
　蓋板６３の溝部６４と、樋カバー６０の左側の溝部６０ｂの両リブ６０ｃとの間に縦長状に形成されて第６循環通路４６Ｆに連通された空隙部６５内には第６循環通路４６Ｆを通過するパチンコ球に摺接して第６循環通路４６Ｆ内のパチンコ球を清浄化する左右１対の紐状のクリーニング部材６６，６６が並行状に挿通されている。蓋板６３を樋カバー６０から取外すと、両クリーニング部材６６を空隙部６５内から取出して交換することができる。
　【００５９】
　第６循環通路４６Ｆ内に貯留された各パチンコ球は第７循環通路４６Ｇに向けて間欠送りされる間に両クリーニング部材６６に摺接して自転しながら移行し、貯留誘導部５２ｃに貯留された各パチンコ球はその表面に付着した汚れ等が両クリーニング部材６６に拭い取られて磨かれかつ清浄化された状態で貯留誘導部５２Ｃから送り出されて待機誘導部５２Ｅへ送り込まれる。
　【００６０】
　続いて、上記した構成をもつ実施例の作用と効果について説明する。
　本例では、発射レール４上の打球位置から発射されて再び打球位置へ還元される１群のパチンコ球が循環する循環経路の途中には打球位置へ送り込まれるパチンコ球を一列に配列させて待機させる
待機誘導部５２Ｅ
待機誘導部５２Ｅ
待機誘導部５２Ｅ
　このため、
待機誘導部５２Ｅ
待機誘導部５２Ｅ
　従って、打球位置へ還元されるパチンコ球を定常的に確保してパチンコ球を
待機誘導部５２Ｅ
【図面の簡単な説明】
　【図１】
　本発明の１実施例を示す要部の一部破断裏面図である。
　【図２】
　メインセット枠，遊技盤および裏セット枠の分解斜視図である。
　【図３】
　要部の裏面図である。
　【図４】
　球送り樋付近の分解斜視図である。
　【図５】
　図１のＸ１−Ｘ１線拡大断面図である。
　【図６】
　表回収誘導部の分解斜視図である。
　【図７】
　裏回収誘導部および貯留誘導部付近の分解斜視図である。
　【図８】
　図１のＸ２−Ｘ２線拡大図である。
　【図９】
　図１のＸ３−Ｘ３線拡大断面図である。
　【図１０】
　図３のＸ４−Ｘ４線拡大断面図である。
　【図１１】
　図１のＸ５−Ｘ５線拡大断面図である。
　【図１２】
　図１のＸ６−Ｘ６線拡大断面図である。
　【符号の説明】
　５２Ａ　表回収誘導部
　５２Ｂ　裏回収誘導部
　５２Ｃ　貯留誘導部
　
５２Ｅ　待機誘導部
　７５　待機球検出スイッチ